(57)【要約】【課題】用紙の種類に対して幅広く対応可能にして、安定した高速給紙性能を達成する給紙装置を提供する。【解決手段】用紙収納部２１Ｂと、送り出しローラ２２１と、送り出しローラ２２１を含む自重により用紙Ｓへの圧接力を発生させる保持部材２２４と、送り出しローラ２２１を持ち上げ、用紙Ｓへの圧接力を解除するアーム部材２２５と、アーム部材２２５に持ち上げ力を発生させる弾性部材２３４と、弾性部材２３４の持ち上げ力を解除し送り出しローラ２２１を用紙Ｓに圧接させる送り出しローラ下降駆動手段２３０と、送り出しローラ２２１を持ち上げる持ち上げ力を調節可能にする調整手段２３６と、を設けた。【選択図】        図２
2005035700.tif 000002
【特許請求の範囲】
【請求項１】
用紙を積載して収容する用紙収納部と、
前記用紙収納部に収容された用紙の最上面に圧接し、前記用紙を通紙路に送り込む送り出しローラと、
前記送り出しローラを保持し、前記送り出しローラを含む自重により前記用紙への圧接力を発生させる保持部材と、
前記送り出しローラを持ち上げ、前記用紙への圧接力を解除するアーム部材と、前記アーム部材に前記送り出しローラを持ち上げる持ち上げ力を発生させる弾性部材と、
前記弾性部材の前記持ち上げ力を解除し、前記送り出しローラを前記用紙に圧接させる送り出しローラ下降駆動手段と、
前記送り出しローラを持ち上げる持ち上げ力を調節可能にする調整手段と、
を設けたことを特徴とする給紙装置。
【請求項２】
前記調整手段は、コイルバネで形成した前記弾性部材の張設長さを可変にして張力を変化させることを特徴とする請求項１に記載の給紙装置。
【請求項３】
用紙を積載して収容する用紙収納部と、
前記用紙収納部に収容された用紙の最上面に圧接し、前記用紙を通紙路に送り込む送り出しローラと、
前記送り出しローラを保持し、前記送り出しローラを含む自重により前記用紙への圧接力を発生させる保持部材と、
前記送り出しローラを持ち上げ、前記用紙への圧接力を解除するアーム部材と、前記アーム部材に前記持ち上げ力を発生させる弾性部材と、
前記弾性部材の前記持ち上げ力を解除し、前記送り出しローラを前記用紙に圧接させる送り出しローラ下降駆動手段と、
前記送り出しローラを持ち上げる持ち上げ力を調節可能にする第１調整手段と、前記保持部材に設置した可変荷重部材により、前記用紙への圧接力を変化させ、前記送り出しローラの加圧力を調節可能にする第２調整手段と、
を設けたことを特徴とする給紙装置。
【請求項４】
前記可変荷重部材は、錘の質量を可変にする、又は前記保持部材への錘の取付位置を変化させることにより、前記用紙への圧接力を可変にすることを特徴とする請求項３に記載の給紙装置。
【発明の詳細な説明】
【０００１】
【発明の属する技術分野】
本発明は、電子写真複写機、プリンタ、ファクシミリ、及びこれらの機能を有する複合機等の画像形成装置における記録用紙の給紙装置や、画像読み取り装置に付設される自動原稿送り装置における原稿用紙の給紙装置や、用紙後処理装置における表紙用紙の給紙装置等に関するものである。
【０００２】
【従来の技術】
従来より、画像形成装置の記録用紙給紙装置、自動原稿送り装置の原稿給紙装置、用紙後処理装置の表紙用紙給紙装置において、給紙カセット等の用紙収納部に収容された各種用紙を最上層から順次１枚ずつ送り出して給送する給紙装置が設けてある。
【０００３】
これらの給紙装置は一般に、送り出し手段、分離捌きローラ対、搬送手段等から構成されている。
【０００４】
送り出し手段は、非給紙時の上方位置と、給紙時の下方位置とに変位可能に支持されている。給紙指令信号により上方位置から下方位置に下降して用紙の最上層に圧接し用紙を送り出す。
【０００５】
分離捌きローラ対は、送り出し手段から送り出された用紙のうち１枚の用紙のみを分離して搬送手段に搬送する。搬送手段は、用紙を挟持してレジストローラ対に搬送する。
【０００６】
特許文献１に記載された給紙装置は、送り出しローラを支持する支持アームが揺動した場合にその速度を制限する速度制御手段を設けたものである。
【０００７】
【特許文献１】
実開平７−４０６４７号公報
【０００８】
【発明が解決しようとする課題】
用紙収納部に積載された用紙材の上面に圧接し、用紙を通紙路に１枚ずつ送り出す送り出しローラは、従来よりその用紙搬送力を安定させるために、送り出しローラ及び保持部材の自重により加圧しているものが広く利用されている。
【０００９】
送り出しローラが常時用紙に圧接したままであると、送り出しローラの用紙搬送方向下流にある捌き機構などによって、用紙が更に下流へと送り出されていく際に、折り込まれている用紙の直下にある、用紙が連れ送りされやすくなる。
【００１０】
このため、用紙の送り出しが必要な時以外は、送り出しローラを持ち上げて、送り出しローラの用紙への圧接を解除するための持ち上げ機構もまた広く利用されてきた。この持ち上げ機構の駆動は、ソレノイドなどが用いられている。
【００１１】
送り出しローラが軽い場合には、送り出しローラ及びその保持部材を、小型のソレノイドによって直接持ち上げる事が出来るが、送り出しローラが重くなると、必要な持ち上げ力も高くなり、その場合には、ソレノイドによって直接持ち上げようとすれば、大型で強力なソレノイドが必要になり、装置の製造コスト高、大型化、騒音発生等の問題が生じる。
【００１２】
そこで、送り出しローラの持ち上げ力はバネなどの弾性部材で発生させ、送り出しローラの下降、上昇の制御をソレノイドによって行う機構を採用すれば、ソレノイドは弾性部材の持ち上げ力から送り出しローラの自重を差し引いた差分を駆動すればよく、送り出しローラの自重が大きい場合にも、装置の製造コスト高、大型化、騒音発生等の問題が解消される。
【００１３】
しかし、給紙される用紙が多種多様である場合、例えば、用紙の厚さや紙種の異なる用紙、カラー複写用に最適な塗工紙（コーティングペーパー）、ＯＨＰ用フィルムなどを使用して給紙する場合には、その適正な送り出し力が異種の用紙間で異なる場合がある。この場合は、用紙への送り出しローラの圧接力を変化させなければならない。
【００１４】
送り出しローラに錘を装着して対応する場合、必要な送り出しローラの持ち上げ力も変化する事になるため、弾性部材が発生する弾性力を変えなければならない。弾性部材を交換して対応する場合には、多種類の弾性部材を予め容易して選択して装着しなければならず、操作が複雑で誤操作を生じる事がある。また、装置の分解などを伴うため、結果として簡単かつ迅速に送り出しローラの送り出し力を変更する事ができなかった。
【００１５】
本発明は、従来技術における前記のような問題を解決する事を目的とする。
【００１６】
【課題を解決するための手段】
前記の本発明の目的は、下記の発明により達成される。
【００１７】
（１）  用紙を積載して収容する用紙収納部と、前記用紙収納部に収容された用紙の最上面に圧接し、前記用紙を通紙路に送り込む送り出しローラと、前記送り出しローラを保持し、前記送り出しローラを含む自重により前記用紙への圧接力を発生させる保持部材と、前記送り出しローラを持ち上げ、前記用紙への圧接力を解除するアーム部材と、前記アーム部材に前記送り出しローラを持ち上げる持ち上げ力を発生させる弾性部材と、前記弾性部材の前記持ち上げ力を解除し、前記送り出しローラを前記用紙に圧接させる送り出しローラ下降駆動手段と、前記送り出しローラを持ち上げる持ち上げ力を調節可能にする調整手段と、を設けたことを特徴とする給紙装置。
【００１８】
（２）  用紙を積載して収容する用紙収納部と、前記用紙収納部に収容された用紙の最上面に圧接し、前記用紙を通紙路に送り込む送り出しローラと、前記送り出しローラを保持し、前記送り出しローラを含む自重により前記用紙への圧接力を発生させる保持部材と、前記送り出しローラを持ち上げ、前記用紙への圧接力を解除するアーム部材と、前記アーム部材に前記持ち上げ力を発生させる弾性部材と、前記弾性部材の前記持ち上げ力を解除し、前記送り出しローラを前記用紙に圧接させる送り出しローラ下降駆動手段と、前記送り出しローラを持ち上げる持ち上げ力を調節可能にする第１調整手段と、前記保持部材に設置した可変荷重部材により、前記用紙への圧接力を変化させ、前記送り出しローラの加圧力を調節可能にする第２調整手段と、を設けたことを特徴とする給紙装置。
【００１９】
【発明の実施の形態】
以下、本発明の実施の形態を説明する。なお、本欄の記載は請求項の技術的範囲や用語の意義を限定するものではない。
【００２０】
［画像形成装置］
図１は、本発明に係る給紙装置を備えた画像形成装置及び大容量給紙装置の構成図である。
【００２１】
画像形成装置Ａは、タンデム型カラー画像形成装置と称せられるもので、複数組の画像形成手段１０Ｙ，１０Ｍ，１０Ｃ，１０Ｋと、ベルト状の中間転写体６と給紙装置２０及び後述する定着装置３０とからなる。
【００２２】
画像形成装置Ａの上部には、画像読取装置Ｂが設置されている。原稿台上に載置された原稿は画像読取装置Ｂの原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段（画像書込手段）３Ｙ，３Ｍ，３Ｃ，３Ｋに入力される。
【００２３】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。
【００２４】
４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤を内包する現像装置である。
【００２５】
中間転写体６は、複数のローラにより巻回され、回動可能に支持されている。
画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（一次転写）、合成されたカラー画像が形成される。
【００２６】
給紙装置２０の用紙収納部（給紙カセット）２１Ａ内に収容された用紙Ｓは、給紙手段（第１給紙部）２２Ａにより給紙され、給紙ローラ２３，２４，２５，２６、レジストローラ（第２給紙部）２７等を経て、二次転写手段（転写ローラ）９に搬送され、用紙Ｓ上にカラー画像が転写される（二次転写）。
【００２７】
なお、画像形成装置Ａの下部に鉛直方向に縦列配置された３段の用紙収納部２１Ａは、ほぼ同一の構成をなすから、同符号を付した。また、３段の給紙手段２２Ａも、ほぼ同一の構成をなすから、同符号を付してある。
、及び給紙手段２２Ａは、ほぼ同一の構成をなすから、同符号を付した。用紙収納部２１Ａ、給紙手段２２Ａを含めて給紙装置２０と称す。
【００２８】
カラー画像が転写された用紙Ｓは、定着装置３０において用紙Ｓが挟持され、熱と圧力とを加えることにより用紙Ｓ上のカラートナー像（或いはトナー像）が定着されて用紙Ｓ上に固定され、排紙ローラ２８に挟持されて機外の排紙トレイ２９上に載置される。
【００２９】
一方、二次転写手段９により用紙Ｓにカラー画像を転写した後、用紙Ｓを曲率分離した中間転写体６は、クリーニング手段８により残留トナーが除去される。
【００３０】
定着処理された用紙Ｓを反転排紙する場合には用紙Ｓは定着装置３０と排紙ローラ２８の中間に配置された分岐板２８Ａの図示右側の搬送路を通過し、下方の搬送路ｒ１に搬送された後、逆転搬送されて分岐板２８Ａの図示左側の搬送路ｒ２を通過し、排紙ローラ２８により装置外に排出される。
【００３１】
用紙Ｓの両面に複写する場合には、用紙Ｓの第１面に形成した画像を定着処理した後、用紙Ｓを搬送路ｒ１、さらに搬送路ｒ３に導入した後、逆転搬送し、搬送路ｒ４に搬送した後、上方に迂回し給紙ローラ２６により搬送する。用紙Ｓは画像形成手段１０Ｙ，１０Ｍ，１０Ｃ，１０Ｋにおいて第２面に各色の画像が両面に形成され、定着装置３０により加熱定着処理され、排紙ローラ２８によって装置外に排出される。
【００３２】
画像形成装置Ａには、手差し給紙装置Ｃが装着されている。手差し給紙装置Ｃの用紙収納部（手差し給紙トレイ）２１Ｂに収容された用紙Ｓは、給紙手段２２Ｂにより給送され、給紙ローラ２５，２６、レジストローラ２７を経て二次転写手段９に送り込まれる。
【００３３】
画像形成装置Ａの図示右側面側には、大容量給紙装置ＬＴが連結可能である。大容量給紙装置ＬＴの用紙収納部２１Ｃに収容された用紙Ｓは、給紙手段２２Ｃにより給送され、給紙ローラ２４，２５，２６、レジストローラ２７を経て二次転写手段９に送り込まれる。
【００３４】
また、本発明の給紙装置は、画像形成装置Ａの上部に配置された画像読取装置Ｂに接続する図示しない自動原稿送り装置の原稿給紙装置にも適用可能である。
【００３５】
更に、本発明の給紙装置は、画像形成装置Ａの図示左側面側に接続する図示しない後処理装置の表紙給紙装置にも適用可能である。
【００３６】
なお、画像形成装置Ａの説明においては、カラー画像形成にて説明したが、モノクロ画像を形成する場合も本発明に含まれるものである。
【００３７】
［給紙装置の一実施形態］
以下、画像形成装置Ａの給紙装置２０、手差し給紙装置Ｃ、大容量給紙装置ＬＴのうち、手差し給紙装置Ｃを代表して説明する。
【００３８】
図２は、捌きローラ方式の手差し給紙装置Ｃの断面図を示す。
〈用紙収納部〉
用紙Ｓを積載して収容する用紙収納部２１Ｂは、図示しないモータによって駆動されるピニオンギアＧ１と、ピニオンギアＧ１に噛み合うラックギアＧ２により昇降駆動され、図示しないガイド部材に案内されて鉛直方向に昇降する。
【００３９】
給紙手段２２Ｂの休止時には、送り出しローラ（ピックアップローラ）２２１は後述の弾性部材２３４により付勢されて上昇位置に停止している。
【００４０】
なお、給紙装置２０の用紙収納部２１Ａでは、用紙収納部２１Ａ内の用紙積載台２１１が鉛直方向に昇降して送り出しローラに圧接する（図１参照）。用紙収納部２１Ａでは、用紙収納部２１Ａ内の用紙積載台２１１が鉛直方向に昇降する。また、大容量給紙装置ＬＴの用紙収納部２１Ａでは、用紙収納部２１Ｃ内の用紙積載台２１２が鉛直方向に昇降して送り出しローラに圧接する（図１参照）。
【００４１】
〈送り出しローラ〉
図３は、送り出しローラ２２１による用紙Ｓの給紙状態を示す断面図である。
【００４２】
給紙開始の信号が入力されると、後述の送り出しローラ下降駆動手段２３０が駆動して、送り出しローラ２２１を支持する保持部材２２４が、給紙ローラ（捌き搬送ローラ）２２２の回転軸２２２Ａを中心にして揺動される。送り出しローラ２２１が用紙収納部２１Ｂに収容された用紙Ｓの最上面に圧接した状態で、後述の送り出しローラ下降駆動手段により保持部材２２４の揺動が停止される。保持部材２２４の端部の突起部がセンサＰＳ１の光路を開放する事により、用紙Ｓの上限が検知される。
【００４３】
この用紙上限位置において、送り出しローラ２２１及び保持部材２２４の自重により、用紙Ｓの上面に所定圧力Ｐ１が付勢される。
【００４４】
給紙信号により送り出しローラ２２１と給紙ローラ２２２が回転を開始する。送り出しローラ２２１と給紙ローラ２２２とは、ギアＧ３，Ｇ４，Ｇ５によって駆動伝達され、同一方向に回転する。また、送り出しローラ２２１、給紙ローラ２２２は、図示しないワンウェイクラッチにより一方向に回転する。
【００４５】
所定圧力Ｐ１で用紙Ｓの上面に圧接させた送り出しローラ２２１は、用紙Ｓを給紙ローラ２２２と重送防止ローラ（リバースローラ）２２３とのニップ位置に送り込んだ後、用紙面から上昇し、圧接が解除される。
【００４６】
〈重送防止ローラ〉
重送防止ローラ２２３はアーム部材２２５に支持されたトルクリミッタ軸ＴＬａに設けたトルクリミッタＴＬを介して用紙Ｓの進行方向と逆方向に駆動されていて、バネ２２６による所定圧力Ｐ２で給紙ローラ２２２に圧接されている。
【００４７】
トルクリミッタＴＬと重送防止ローラ２２３とは、ギアＧ６，Ｇ７，Ｇ８によって駆動伝達される。
【００４８】
重送防止ローラ２２３の給紙ローラ２２２への押圧力は、アーム部材２２５と、下ガイド板２２７Ａとに張設されたバネ２２６の付勢によって発生される。
【００４９】
重送防止ローラ２２３は給紙ローラ２２２と直接接触したとき（ニップ間に用紙Ｓがないとき）、又は１枚の用紙Ｓがニップ間に送り込まれたとき、図示しないトルクリミッタがリミットトルクを超えて滑り、給紙ローラ２２２に対応して従動回転する。
【００５０】
しかし、用紙Ｓが２枚以上ニップ間に送り込まれた場合、リミットトルクが用紙間の摩擦力に打ち勝って、重送防止ローラ２２３を逆回転させ、下側の用紙Ｓを押し戻し多数枚送りを防止している。
【００５１】
給紙ローラ２２２と重送防止ローラ２２３とから成る分離捌きローラ対の用紙搬送方向下流側には、給紙ローラ２５，２６が配置されている。給紙ローラ２５，２６は、分離捌きローラ対から搬送された１枚の用紙Ｓを挟持して、更に用紙搬送方向下流側に配置されたレジストローラ２７に搬送する（図１参照）。
【００５２】
〈送り出しローラ下降駆動手段〉
図４は送り出しローラ下降駆動手段２３０の断面図、図５は斜視図である。
【００５３】
送り出しローラ下降駆動手段２３０は、送り出しローラ２２１の所定圧力Ｐ１を可変にして調整可能にする。
【００５４】
第１アーム部材２３１は、給紙ローラ２２２の回転軸２２２Ａに回転可能に支持されている。第１アーム部材２３１の一方のアーム部２３１ａは、保持部材２２４の上壁部材内面に接し、第１アーム部材２３１の他方のアーム部２３１ｂは、に接する。
【００５５】
第２アーム部材２３２は、上ガイド板２２７Ｂ上に起立した２枚の起立片２３３ａ，２３３ｂに支持された支軸に嵌合して揺動可能に支持されている。
【００５６】
第２アーム部材２３２の側方のアーム部２３２ａは、第１アーム部材２３１のアーム部２３１ｂに当接する。
【００５７】
第２アーム部材２３２の下方に突出した突起部２３２ｂに穿設された孔部２３２ｃには、コイルバネ等の弾性部材２３４の一方の端部が係止される。弾性部材２３４の他方の端部は係止部材２３５により係止される。
【００５８】
係止部材２３５は、第１調整手段２３６に摺動可能に支持され、係止具に２３７よって所定位置に固定される。
【００５９】
第２アーム部材２３２と係止部材２３５との間に張設された弾性部材２３４の張力によって、第２アーム部材２３２が図５に示す時計方向に揺動され、アーム部２３２ａが第１アーム部材２３１のアーム部２３１ｂを押し下げる。
【００６０】
アーム部２３１ｂの押し下げにより、第１アーム部材２３１は回転軸２２２Ａを中心にして図示の反時計方向に揺動し、アーム部２３１ａが保持部材２２４を押し上げる。アーム部２３１ａの底部が上ガイド板２２７Ｂ上に起立したストッパ部２２７Ｃに当接して、第１アーム部材２３１の上昇が停止して図２に示す待機状態に保持される。
【００６１】
第２アーム部材２３２の下方に突出した突起部２３２ｂに穿設された孔部２３２ｃには、ワイヤ２３８の一方の端部が係止される。ワイヤ２３８の他方の端部はソレノイドＳＬのプランジャＳＬａに係止されている。
【００６２】
プランジャＳＬａはソレノイドＳＬに電圧が印加されない状態では、ワイヤ２３８を介して弾性部材２３４によって引っ張られ、プランジャストッパＳＬｂに当接して停止している。
【００６３】
ソレノイドＳＬに電圧が印加されると、プランジャＳＬａが電磁吸引され、ワイヤ２３８を図示右方向に引っ張り、第２アーム部材２３２を、弾性部材２３４の張力に抗して支軸２３３を中心にして図５に示す反時計方向に揺動させる。従って、第２アーム部材２３２には、ソレノイドＳＬによるワイヤ２３８の引っ張り力と、弾性部材２３４による引っ張り力とが加えられる。
【００６４】
第２アーム部材２３２の反時計方向揺動により、第１アーム部材２３１のアーム部２３１ａは、送り出しローラ２２１及び保持部材２２４の自重により押圧されて下降し、送り出しローラ２２１が用紙収納部２１Ｂ内に収容された最上層の用紙Ｓに当接して停止する（図３参照）。
【００６５】
この停止状態において、送り出しローラ２２１に圧接される用紙収納部２１Ｂ内の用紙Ｓへの圧接力は、送り出しローラ２２１及び保持部材２２４の自重による押し下げ力と、ソレノイドＳＬによって引っ張られた弾性部材２３４の張力による押し上げ力とが作用する。
【００６６】
即ち、ソレノイドＳＬ等から成る送り出しローラ下降駆動手段は、弾性部材２３４による送り出しローラ２２１の持ち上げ力を解除し、送り出しローラ２２１を用紙に圧接させる。第１調整手段２３６は、弾性部材２３４の取付位置の変更により張力を変化させ、送り出しローラ２２１を持ち上げる持ち上げ力を調節可能にする。
【００６７】
第１調整手段２３６による弾性部材２３４の張力変更は、用紙Ｓの紙種に応じて、強中弱の３段階、または強弱の２段階に手動操作により調節する。或いは画像形成装置Ａの操作部において、用紙選択に対応した張力変更を設定し、モータ等の駆動源により係止部材２３５を移動させるようにしてもよい。
【００６８】
図６は、送り出しローラ２２１を持ち上げる持ち上げ力を調節可能にする第２調整手段２３９の断面図である。
【００６９】
第２調整手段２３９は、保持部材２２４の天井部の上面の移動可能に支持された錘等から成る可変荷重部材２３９Ａを用紙搬送方向に平行する方向に移動させて所定位置に係止する移動手段２３９Ｂとから成る。
【００７０】
可変荷重部材２３９Ａの設置位置を可変にする事により、
可変荷重部材２３９Ａの設置位置は、用紙Ｓの用紙Ｓの紙種に応じて、強中弱の３段階、または強弱の２段階に手動操作により調節する。或いは画像形成装置Ａの操作部において、用紙選択に対応した荷重変更を設定し、モータ等の駆動源により可変荷重部材２３９Ａを移動させるようにしてもよい。
【００７１】
第２調整手段は、保持部材２２４に設置した可変荷重部材２３９Ａにより、用紙Ｓへの圧接力を変化させ、送り出しローラ２２１の加圧力を調節可能にする。
【００７２】
〈給紙装置の駆動〉
（１）  給紙開始信号によりソレノイドＳＬに電圧が印加されると、プランジャＳＬａの吸引によってワイヤ２３８を介して第２アーム部材２３２が反時計方向に回転し、アーム部２３２ａの先端部が通紙面の上方に待避し、第１アーム部材２３１の押圧を解除する。送り出しローラ２２１を支持する保持部材２２４は、給紙ローラ２２２の回転軸２２２Ａを揺動中心にして下降する。送り出しローラ２２１は用紙収納部２１Ｂ内に収容された用紙Ｓの最上面に当接する（図３、図５参照）。
【００７３】
（２）  給紙ローラ２２２の回転軸２２２Ａの軸端には、図示しない駆動源に接続するクラッチＣＬが配置されている。給紙開始信号によりクラッチＣＬがオン状態になると、駆動源からの回転が伝達され、回転軸２２２Ａの回転により給紙ローラ２２２が回転し、ギアＧ５，Ｇ４，Ｇ３を介して送り出しローラ２２１が回転する。送り出しローラ２２１により用紙Ｓが送り出され、給紙ローラ２２２と重送防止ローラ２２３との協働により１枚の用紙Ｓが給送される（図２、図３参照）。
【００７４】
（３）  給送される用紙Ｓの先端部がセンサＰＳ２により検知されると、ソレノイドＳＬの通電が絶たれ、プランジャＳＬａの吸引力が消滅する。第２アーム部材２３２は弾性部材２３４の引っ張り力によって時計方向に回転し、第１アーム部材２３１を押圧する。第１アーム部材２３１は保持部材２２４を押圧して、通紙面の上方に待避させる（図２、図５参照）。用紙Ｓは給紙ローラ２２２と重送防止ローラ２２３とに挟持されて搬送される。
【００７５】
（４）  搬送される用紙Ｓの先端部がセンサＰＳ３により検知され、給紙ローラ２５により挟持されると、クラッチＣＬの通電が断たれ、給紙ローラ２２２と重送防止ローラ２２３とは用紙Ｓの搬送による従動回転となり、給紙ローラ２５による搬送となる。
【００７６】
なお、本発明の実施の形態では、複写機本体に接続した手差し給紙装置Ｃを示したが、大容量給紙装置ＬＴ、後処理装置、自動原稿送り装置に配置された給紙装置にも適用可能である。また、プリンタ、軽印刷機等の画像形成装置と接続する各種装置にも、本発明の給紙装置は適用可能である。
【００７７】
【発明の効果】
以上詳述したように、本発明の給紙装置により、以下の優れた効果が得られる。
【００７８】
（１）  送り出しローラの用紙への押圧力を可変に設定する事により、用紙の種類、給紙環境等に対し、幅広く対応可能にして、安定した高速給紙性能が達成される。
【００７９】
（２）  用紙給送開始時に、普通紙、塗工紙、特殊紙等の用紙の種類を選択し、弾性部材調整手段、可変荷重部材等の調整手段により送り出しローラの用紙への押圧力を可変に設定する事により、用紙の種類に対応して、安定した高速給紙性能が達成される。例えば、厚手用紙、塗工紙、アート紙、あるいはＯＨＰ用透明フィルム等の特殊用紙も、確実に給紙される。また、その変更作業も簡単に行う事が出来る。
【００８０】
（３）  特殊用紙を給紙し、送り出しローラへの荷重を増大させる場合に、送り出しローラの持ち上げ力はバネなどの弾性部材で発生させ、送り出しローラの下降、上昇の制御をソレノイドによって行う機構を採用する事により、ソレノイドは弾性部材の持ち上げ力から送り出しローラの自重を差し引いた差分を駆動すればよく、送り出しローラの自重が大きい場合にも、装置の製造コスト高、大型化、騒音発生等の問題が解消される。
【図面の簡単な説明】
【図１】本発明に係る給紙装置を備えた画像形成装置及び大容量給紙装置の構成図。
【図２】捌きローラ方式の手差し給紙装置の断面図。
【図３】送り出しローラによる用紙の給紙状態を示す断面図。
【図４】送り出しローラ下降駆動手段の断面図。
【図５】送り出しローラ下降駆動手段の斜視図。
【図６】第２調整手段の断面図。
【符号の説明】
２１Ａ  用紙収納部（給紙カセット）
２１Ｂ  用紙収納部（手差し給紙トレイ）
２１Ｃ  用紙収納部
２２Ａ，２２Ｂ，２２Ｃ  給紙手段（第１給紙部）
２２１  送り出しローラ（ピックアップローラ）
２２２  給紙ローラ（捌き搬送ローラ）
２２３  重送防止ローラ（リバースローラ）
２２４  保持部材
２３０  送り出しローラ下降駆動手段
２３１  第１アーム部材
２３２  第２アーム部材
２３３  支軸
２３４  弾性部材（バネ）
２３５  係止部材
２３６  第１調整手段
２３７  係止具
２３８  ワイヤ
２３９  第２調整手段
２３９Ａ  可変荷重部材
２３９Ｂ  移動手段
Ａ  画像形成装置
Ｂ  画像読取装置
Ｃ  手差し給紙装置
ＬＴ  大容量給紙装置
Ｓ  用紙
ＳＬ  ソレノイド
【図１】
2005035700.tif 000003
【図２】
2005035700.tif 000004
【図３】
2005035700.tif 000005
【図４】
2005035700.tif 000006
【図５】
2005035700.tif 000007
【図６】
2005035700.tif 000008